(57)【要約】【課題】建物内の設備機器からのデータを取得するゲートウェイ装置の処理負荷を低減するようにする。【解決手段】監視システムは、建物内のポイント４０から監視情報をＬＯＮＷＯＲＫＳ（登録商標）のプロトコルにより受信するローカルゲートウェイ３０と、監視情報を監視端末１１にＢＡＣｎｅｔのプロトコルにより送信する上位ゲートウェイ２０とを含んで構成される。上位ゲートウェイ２０とローカルゲートウェイ３０とは、同じデータ量の通信にかかる手順がＢＡＣｎｅｔのプロトコルよりも少ないゲートウェイプロトコルにより通信可能に接続される。ローカルゲートウェイ３０は、ＬＯＮＷＯＲＫＳ（登録商標）によりポイント４０から受信した監視情報を、ゲートウェイプロトコルにより上位ゲートウェイ２０に送信する。上位ゲートウェイ２０は、受信した監視情報をＢＡＣｎｅｔのプロトコルにより監視端末１１に送信する。【選択図】図１
2008015837.tif 000002
【特許請求の範囲】
【請求項１】
建物内に設置される機器から送信されるデータを第１のプロトコルに従って受信し、受信したデータを第２のプロトコルに従って建物外に設置される監視端末に送信するシステムであって、
前記第１のプロトコルにより前記機器と通信可能となる機器制御装置と、
前記第２のプロトコルとは異なる第３のプロトコルにより前記機器制御装置と通信可能となる監視制御装置と、
を含んで構成され、
前記機器制御装置は、
前記第１のプロトコルに従って、前記機器から前記データを受信するデータ受信部と、
前記第３のプロトコルに従って、前記データを前記監視制御装置に送信するデータ送信部と、
を備え、
前記監視制御装置は、
前記第３のプロトコルに従って、前記機器制御装置から前記データを受信するデータ受信部と、
前記第２のプロトコルに従って、前記データを前記監視端末に送信するデータ送信部と、
を備えることを特徴とするデータ通信システム。
【請求項２】
請求項１に記載のデータ通信システムであって、
同じデータ量の通信にかかる手順は、前記第２のプロトコルよりも、前記第３のプロトコルの方が少ないこと、
を特徴とするデータ通信システム。
【請求項３】
請求項１に記載のデータ通信システムであって、
前記機器制御装置は、
前記機器から前記データを蓄積した時点を特定する第１の時点情報に対応付けて、前記機器から受信した前記データを記憶する監視履歴記憶部を備え、
前記機器制御装置が備える前記データ送信部は、前記機器制御装置が管理する前記データの最新値を前記監視制御装置に送信し、
前記監視制御装置は、
前記機器制御装置から受信した前記データを最後に蓄積した時点を示す第２の時点情報を記憶する最終受信時点記憶部と、
前記機器制御装置が最後に蓄積した前記データに対応する前記第１の時点情報を問い合わせる最新時点問合わせ要求を前記機器制御装置に送信する最新時点問合わせ部と、を備え、
前記機器制御装置は、
前記最新時点問合せ要求に応じて、前記データ履歴記憶部から最も新しい時点を示す前記第１の時点情報を読み出し、読み出した前記第１の時点情報を前記監視制御装置に送信する最新時点送信部を備え、
前記監視制御装置は、
前記機器制御装置から送信される前記第１の時点情報を受信する最新時点受信部と、
受信した前記第１の時点情報と、前記第２の時点情報とが異なる場合、過去の前記データを要求するメッセージを前記機器制御装置に送信する履歴要求送信部と、を備え、
前記機器制御装置は、
前記メッセージを受信する履歴要求受信部と、
前記メッセージの受信に応じて、前記データ履歴記憶部から前記データを読み出して前記監視制御装置に送信する履歴送信部と、
を備えることを特徴とするデータ通信システム。
【請求項４】
請求項１に記載のデータ通信システムであって、
前記機器は、アナログ信号を入出力するアナログ機器であり、
前記機器制御装置は、
前記機器から前記アナログ信号の入出力を受け付ける入出力インタフェースと、
前記アナログ信号をデジタル形式の前記データに変換するコンバータと、
前記データを前記第１のプロトコルに従って、前記データ受信部に転送するデータ転送部と、
を備えることを特徴とするデータ通信システム。
【請求項５】
請求項１に記載のデータ通信システムであって、
前記機器制御装置及び前記監視制御装置の少なくとも何れかは、
設定情報を送信する管理者端末とＨＴＴＰプロトコルにより通信可能に接続され、
前記ＨＴＴＰプロトコルに従って、前記管理者端末から送信される前記設定情報を受信する設定情報受信部と、
受信した前記設定情報に基づいて前記機器制御装置及び前記監視制御装置の少なくとも何れかの設定を行う設定処理部と、
を備えることを特徴とするデータ通信システム。
【請求項６】
請求項５に記載のデータ通信システムであって、
前記監視制御装置は、
前記ＨＴＴＰプロトコルにより通信可能に前記管理者端末と接続され、
前記機器制御装置から受信した前記データを記憶するデータ記憶部と、
前記ＨＴＴＰプロトコルに従って前記管理者端末から送信される前記データの閲覧要求を受信する閲覧要求受信部と、
前記閲覧要求に応じて前記データ記憶部に記憶されている前記データを前記管理者端末に送信する閲覧データ送信部と、
を備えることを特徴とするデータ通信システム。
【請求項７】
請求項１に記載のデータ通信システムであって、
前記監視制御装置及び前記機器制御装置は、
前記機器から取得した前記データに基づいて前記機器を含む設備システムに異常があるかどうかを判定するための異常判定プログラムを実行して、前記異常判定プログラムの実行結果により前記異常を判定する異常判定部と、
前記設備システムに異常がある場合に、その旨を示すメッセージを含む電子メールを送信する先となるメールアドレスを記憶する緊急送信先記憶部と、を備え、
前記監視制御装置は、
前記異常判定部が前記設備システムに異常があると判定した場合に、前記緊急送信先記憶部に記憶されている前記メールアドレスに宛てて、前記電子メールを送信する電子メール送信部を備え、
前記機器制御装置は、
前記設備システムに異常があると判定した場合に、前記監視制御装置において実行された前記異常判定プログラムを問い合わせるコマンドを前記監視制御装置に送信するロジック情報問合せ部を備え、
前記監視制御装置は、
前記コマンドに応じて前記異常判定部が実行した前記異常判定プログラムを示すロジック情報を前記機器制御装置に送信するロジック情報応答部を備え、
前記機器制御装置は、
前記ロジック情報を受信するロジック情報受信部と、
前記ロジック情報が示す前記異常判定プログラムと、前記機器制御装置が備える前記異常判定部が実行した前記異常判定プログラムとが異なる場合に、前記緊急送信先記憶部に記憶されている前記メールアドレスに宛てて、前記電子メールを送信する電子メール送信部と、
を備えることを特徴とするデータ通信システム。
【請求項８】
請求項７に記載のデータ通信システムであって、
前記機器制御装置は、
前記監視制御装置が正常に動作しているかどうかを判定する動作判定部を備え、
前記電子メール送信部は、
前記設備システムに異常があると判定された場合に、前記監視制御装置が正常に動作していないと判定されると、前記緊急送信先記憶部に記憶されている前記メールアドレスに宛てて、前記電子メールを送信すること、
を特徴とするデータ通信システム。
【請求項９】
建物内に設置される機器から送信されるデータを第１のプロトコルに従って受信し、受信したデータを第２のプロトコルに従って建物外に設置される監視端末に送信するデータの送信方法であって、
監視制御装置と複数の機器制御装置とが、前記第２のプロトコルよりも同じデータ量の通信にかかる手順が少ない第３のプロトコルにより通信可能に接続されており、
前記機器制御装置が、
前記第１のプロトコルに従って、前記機器から前記データを受信し、
前記第３のプロトコルに従って、前記データに前記機器を特定する情報を付帯させて監視制御装置に送信し、
前記監視制御装置は、
前記第３のプロトコルに従って、前記機器制御装置から前記データを受信し、
前記第２のプロトコルに従って、前記データを前記監視端末に送信すること、
を特徴とするデータ送信方法。
【請求項１０】
請求項９に記載のデータ送信方法であって、
前記監視制御装置及び前記機器制御装置は、
前記機器から取得した前記データに基づいて前記機器を含む設備システムに異常があるかどうかを判定するための異常判定プログラムを実行して、前記異常判定プログラムの実行結果により前記異常を判定し、
前記設備システムに異常がある場合に、その旨を示すメッセージを含む電子メールを送信する先となるメールアドレスをメモリに記憶し、
前記監視制御装置は、前記設備システムに異常があると判定した場合に、前記メモリに記憶されている前記メールアドレスに宛てて、前記電子メールを送信し、
前記機器制御装置は、
前記設備システムに異常があると判定した場合に、前記監視制御装置において実行された前記異常判定プログラムを問い合わせるコマンドを前記監視制御装置に送信し、
前記監視制御装置は、
前記コマンドに応じて前記異常判定部が実行した前記異常判定プログラムを示すロジック情報を前記機器制御装置に送信し、
前記機器制御装置は、
前記ロジック情報を受信し、
前記ロジック情報が示す前記異常判定プログラムと、前記機器制御装置が実行した前記異常判定プログラムとが異なる場合に、前記メモリに記憶されている前記メールアドレスに宛てて、前記電子メールを送信すること、
を特徴とするデータ送信方法。
【発明の詳細な説明】
【技術分野】
【０００１】
本発明は、建物内に設置された機器の監視制御を行うシステムに関する。
【背景技術】
【０００２】
建物内に設定されている機器の状況や測定値などを、建物外に設置された監視端末に集約して管理することが行われている。例えば、特許文献１には、ビル内の設備機器を監視制御するオープン化対応の分散型ビル監視制御システムが記載されている。
【０００３】
従来の監視システムでは、建物内には、機器からのデータを取得し、そのデータを監視端末に転送する、ゲートウェイ機器が設置される。建物内において機器からデータを取得するプロトコルとしてはＬＯＮＷＯＲＫＳ（登録商標；米国エシェロン社が提唱する、機器やセンサーレベルでの通信プロトコルである。）が用いられることが多く、ゲートウェイ機器から監視端末にデータを送信するプロトコルとしてはＢＡＣｎｅｔ（ＡＳＨＲＡＥ（米国冷暖房空調学会）が提唱する、米国や欧州において標準規格となりつつあるビルオートメーション用の通信プロトコルである。）が用いられることが多い。したがって、従来のゲートウェイ機器には、ＬＯＮＷＯＲＫＳ（登録商標）及びＢＡＣｎｅｔの両方を処理する機能が実装されている。
【特許文献１】特開２００２−１８３８５５号公報
【発明の開示】
【発明が解決しようとする課題】
【０００４】
しかしながら、複数のゲートウェイ機器を設置した場合には、各ゲートウェイ機器において上記２つのプロトコルを処理可能となってしまい、複数のプロトコルを取り扱うためにゲートウェイ装置には高度な処理能力が求められ、ゲートウェイ装置のコストアップ要因となっていた。
【０００５】
本発明は、このような背景を鑑みてなされたものであり、建物内の設備機器からのデータを取得するゲートウェイ装置の処理負荷を低減することのできる、データ通信システム及びデータ通信方法を提供することを目的とする。
【課題を解決するための手段】
【０００６】
上記課題を解決するための本発明のうち請求項１に記載の発明は、建物内に設置される機器から送信されるデータを第１のプロトコルに従って受信し、受信したデータを第２のプロトコルに従って建物外に設置される監視端末に送信するシステムであって、前記第１のプロトコルにより前記機器と通信可能となる機器制御装置と、前記第２のプロトコルとは異なる第３のプロトコルにより前記機器制御装置と通信可能となる監視制御装置と、を含んで構成され、前記機器制御装置は、前記第１のプロトコルに従って、前記機器から前記データを受信するデータ受信部と、前記第３のプロトコルに従って、前記データを前記監視制御装置に送信するデータ送信部と、を備え、前記監視制御装置は、前記第３のプロトコルに従って、前記機器制御装置から前記データを受信するデータ受信部と、前記第２のプロトコルに従って、前記データを前記監視端末に送信するデータ送信部と、を備えることとする。同じデータ量の通信にかかる手順は、前記第２のプロトコルよりも、前記第３のプロトコルの方が少ないようにしてもよい。
【０００７】
従来は１台のゲートウェイ機器（機器制御装置）において第１及び第２の両方のプロトコルを処理していたため、例えば、フロア毎にゲートウェイ機器を設置する場合には、各ゲートウェイ機器において両方のプロトコルを処理することになり、ゲートウェイ機器におけるプロトコル処理の負荷が大きかった。
【０００８】
本発明によれば、第２のプロトコルを処理する監視制御装置と、第１のプロトコルを処理する機器制御装置とを分離して設置することにしたので、監視制御装置と機器制御装置との間の通信には任意の通信プロトコルを用いることができる。したがって、監視制御装置と機器制御装置との間の通信に、第２のプロトコルに比べてより処理負荷の低い第３のプロトコルを用いることにより、複数台設置される機器制御装置において、第２のプロトコルの処理に代えて第３のプロトコルの処理が行われることになる。これにより、機器制御装置における通信プロトコルに係る処理負荷を低減することができる。よって、システム全体としての処理効率を向上することができる。
【０００９】
また、本発明のうち請求項３に記載の発明は、請求項１に記載のデータ通信システムであって、前記機器制御装置は、前記機器から前記データを蓄積した時点を特定する第１の時点情報に対応付けて、前記機器から受信した前記データを記憶する監視履歴記憶部を備え、前記機器制御装置が備える前記データ送信部は、前記機器制御装置が管理する前記データの最新値を前記監視制御装置に送信し、前記監視制御装置は、前記機器制御装置から受信した前記データを最後に蓄積した時点を示す第２の時点情報を記憶する最終受信時点記憶部と、前記機器制御装置が最後に蓄積した前記データに対応する前記第１の時点情報を問い合わせる最新時点問合わせ要求を前記機器制御装置に送信する最新時点問合わせ部と、を備え、前記機器制御装置は、前記最新時点問合せ要求に応じて、前記データ履歴記憶部から最も新しい時点を示す前記第１の時点情報を読み出し、読み出した前記第１の時点情報を前記監視制御装置に送信する最新時点送信部を備え、前記監視制御装置は、前記機器制御装置から送信される前記第１の時点情報を受信する最新時点受信部と、受信した前記第１の時点情報と、前記第２の時点情報とが異なる場合、過去の前記データを要求するメッセージを前記機器制御装置に送信する履歴要求送信部と、を備え、前記機器制御装置は、前記メッセージを受信する履歴要求受信部と、前記メッセージの受信に応じて、前記データ履歴記憶部から前記データを読み出して前記監視制御装置に送信する履歴送信部と、を備えることとする。  
この場合、監視制御装置には記憶されておらず、機器制御装置に記憶されているデータを監視制御装置にコピーすることができる。つまり、監視制御装置と機器制御装置とでデータの冗長化がなされる。したがって、例えば、監視制御装置が故障して過去のデータが喪失してしまった場合でも、データの復旧を行うことができる。よって、システム全体としてデータの保全性が向上する。
【００１０】
また、本発明のうち請求項４に記載の発明は、請求項１に記載のデータ通信システムであって、前記機器は、アナログ信号を入出力するアナログ機器であり、前記機器制御装置は、前記機器から前記アナログ信号の入出力を受け付ける入出力インタフェースと、前記アナログ信号をデジタル形式の前記データに変換するコンバータと、前記データを前記第１のプロトコルに従って、前記データ受信部に転送するデータ転送部と、を備えることとする。  
この場合、建物内に設置する機器にデジタル通信機能を搭載する必要がなくなるので、機器に係るコストを抑えることができる。また、一般的には通信ネットワークの配線よりも、アナログ信号線の配線の方が低コストであるため、配線に係るコストも抑えることができる。
【００１１】
また、本発明のうち請求項５に記載の発明は、請求項１に記載のデータ通信システムであって、前記機器制御装置及び前記監視制御装置の少なくとも何れかは、設定情報を送信する管理者端末とＨＴＴＰプロトコルにより通信可能に接続され、前記ＨＴＴＰプロトコルに従って、前記管理者端末から送信される前記設定情報を受信する設定情報受信部と、受信した前記設定情報に基づいて前記機器制御装置及び前記監視制御装置の少なくとも何れかの設定を行う設定処理部と、を備えることとする。  
この場合、管理者は一般的なＷｅｂブラウザを用いて監視制御装置や機器制御装置の設定を行うことができる。
【００１２】
また、本発明のうち請求項６に記載の発明は、請求項５に記載のデータ通信システムであって、前記監視制御装置は、前記ＨＴＴＰプロトコルにより通信可能に前記管理者端末と接続され、前記機器制御装置から受信した前記データを記憶するデータ記憶部と、前記ＨＴＴＰプロトコルに従って前記管理者端末から送信される前記データの閲覧要求を受信する閲覧要求受信部と、前記閲覧要求に応じて前記データ記憶部に記憶されている前記データを前記管理者端末に送信する閲覧データ送信部と、を備えることとする。
【００１３】
また、本発明のうち請求項７に記載の発明は、請求項１に記載のデータ通信システムであって、前記監視制御装置及び前記機器制御装置は、前記機器から取得した前記データに基づいて前記機器を含む設備システムに異常があるかどうかを判定するための異常判定プログラムを実行して、前記異常判定プログラムの実行結果により前記異常を判定する異常判定部と、前記設備システムに異常がある場合に、その旨を示すメッセージを含む電子メールを送信する先となるメールアドレスを記憶する緊急送信先記憶部と、を備え、前記監視制御装置は、前記異常判定部が前記設備システムに異常があると判定した場合に、前記緊急送信先記憶部に記憶されている前記メールアドレスに宛てて、前記電子メールを送信する電子メール送信部を備え、前記機器制御装置は、前記設備システムに異常があると判定した場合に、前記監視制御装置において実行された前記異常判定プログラムを問い合わせるコマンドを前記監視制御装置に送信するロジック情報問合せ部を備え、前記監視制御装置は、前記コマンドに応じて前記異常判定部が実行した前記異常判定プログラムを示すロジック情報を前記機器制御装置に送信するロジック情報応答部を備え、前記機器制御装置は、前記ロジック情報を受信するロジック情報受信部と、前記ロジック情報が示す前記異常判定プログラムと、前記機器制御装置が備える前記異常判定部が実行した前記異常判定プログラムとが異なる場合に、前記緊急送信先記憶部に記憶されている前記メールアドレスに宛てて、前記電子メールを送信する電子メール送信部と、を備えることとする。
【００１４】
この場合、監視制御装置は、機器からのデータに基づく異常の発生を判定するプログラムを実行し、異常があれば電子メールでその旨を報知することができる。したがって、管理者は建物外部にいながら建物内の設備システムにおける異常の発生を把握することができる。
【００１５】
また、機器制御装置においても異常の発生を判定し、その判定に用いたプログラムが監視制御装置で実行されたプログラムと異なる場合にのみ、異常が発生したことを報知する電子メールを送信する。つまり、監視制御装置と機器制御装置とで同一の判定処理により異常が検出された場合には、片方からのみ電子メールが送信される。したがって、同じ処理による同じ結果を重複して報知することを防ぐことができる。よって、電子メールの送信に係る通信負荷を低減し、利用者に同じ内容の電子メールが複数到着してしまうことを防ぐことができるので、利用者の事務処理の煩雑さを軽減することができる。
【００１６】
一方、監視制御装置と機器制御装置とで異なる判定処理が行われた場合には、機器制御装置からも電子メールが送信される。したがって、管理者は、建物内の設備システムの異常を確実に把握することができる。
【００１７】
また、本発明のうち請求項８に記載の発明は、請求項７に記載のデータ通信システムであって、前記機器制御装置は、前記監視制御装置が正常に動作しているかどうかを判定する動作判定部を備え、前記電子メール送信部は、前記設備システムに異常があると判定された場合に、前記監視制御装置が正常に動作していないと判定されると、前記緊急送信先記憶部に記憶されている前記メールアドレスに宛てて、前記電子メールを送信することとする。  
この場合、監視制御装置が正常に動作していない場合には、機器制御装置から異常が通知されるので、管理者はより確実に設備システムの異常に関する通知をうけることができる。
【００１８】
その他本願が開示する課題やその解決方法については、発明の実施形態の欄及び図面により明らかにされる。
【発明の効果】
【００１９】
本発明によれば、建物内の設備機器からのデータを取得するゲートウェイ装置の処理負荷を低減することができる。
【発明を実施するための最良の形態】
【００２０】
＝＝システム構成＝＝
図１は本実施形態に係る監視システムの全体構成を示す図である。同図に示すように、本実施形態の監視システムは、監視端末１１、管理者端末１２、上位ゲートウェイ２０、ローカルゲートウェイ３０、ポイント４０を含んで構成される。
【００２１】
ポイント４０（本発明の「機器」に該当する。）は、建物内に設置される、例えば、空調や照明などの設備機器であり、本実施形態の監視システムの監視対象である。ポイント４０からは、例えば、空調機器の温度や照明機器の照度、各設備機器の動作状態などの、ポイント４０に関する情報（以下、監視情報という。）が出力され、出力された監視情報は、ローカルゲートウェイ３０、上位ゲートウェイ２０を介して監視端末１１に送信される。
【００２２】
ローカルゲートウェイ３０は、ポイント４０から監視情報を収集するコンピュータである。ローカルゲートウェイ３０とポイント４０とは通信線５１を介して接続されており、ローカルゲートウェイ３０とポイント４０との間の通信は、ＬＯＮＷＯＲＫＳ（登録商標）のプロトコル（本発明の「第１のプロトコル」に該当する。）に従って行われる。
【００２３】
ローカルゲートウェイ３０（本発明の「機器制御装置」に該当する。）は、例えば、フロア毎に設置され、設置されたフロアに配置されているポイント４０と通信線５１を介して接続され、接続されたポイント４０から監視情報を受信する。
【００２４】
上位ゲートウェイ２０（本発明の「監視制御装置」に該当する。）は、各フロアに設置されたローカルゲートウェイ３０が取得した監視情報を監視端末１１に転送するコンピュータである。ローカルゲートウェイ３０と上位ゲートウェイ２０とは通信ネットワーク５２を介して接続されており、上位ゲートウェイ２０と監視端末１１とは通信ネットワーク５３を介して接続されている。通信ネットワーク５２及び５３は、例えば、インターネットやＬＡＮ（Local Area Network）、電話回線網、無線通信網などの通信路である。
【００２５】
なお、図１の例では、ローカルゲートウェイ３０は、上位ゲートウェイ２０を介して通信ネットワーク５３に接続するようにしているが、通信ネットワーク５２と通信ネットワーク５３とをルータ等で接続し、ローカルゲートウェイ３０が通信ネットワーク５３にも通信可能となるように接続してもよい。
【００２６】
上位ゲートウェイ２０と監視端末１１との間の通信は、ＢＡＣｎｅｔのプロトコル（本発明の「第２のプロトコル」に該当する。）に従って行われる。上位ゲートウェイ２０とローカルゲートウェイ３０との間の通信は、ＢＡＣｎｅｔに比べて、同じデータを送信するために必要な手順が少ない、ＵＤＰ（User Datagram Protocol）上で動作するゲートウェイ間連携プロトコル（以下、ゲートウェイプロトコルという。本発明の「第３のプロトコル」に該当する。）に従って行われる。
【００２７】
従来は１台のゲートウェイ機器がＢＡＣｎｅｔとＬＯＮＷＯＲＫＳ（登録商標）の両方のプロトコルを処理していたため、例えば、フロア毎にゲートウェイ機器を設置する場合には、各ゲートウェイ機器において両方のプロトコルを処理することになり、ゲートウェイ機器における処理負荷が大きかった。これに対し、本実施形態の監視システムでは、ＢＡＣｎｅｔによる通信を行う上位ゲートウェイ２０と、ＬＯＮＷＯＲＫＳ（登録商標）による通信を行うローカルゲートウェイ３０とを別体として設置している。これにより、上位ゲートウェイ２０とローカルゲートウェイ３０との間の通信には、任意の通信プロトコルを用いることができる。そして、本実施形態では、上位ゲートウェイ２０とローカルゲートウェイ３０との間の通信には、ＢＡＣｎｅｔに比べてより処理負荷の低いゲートウェイプロトコルが用いられる。したがって、複数台設置されるローカルゲートウェイ３０においては、ＢＡＣｎｅｔに代えて、ゲートウェイプロトコルによるプロトコルの処理が行われるため、通信プロトコルの処理負荷を低減することができる。よって、監視システム全体としての処理効率を向上することができる。
【００２８】
＝＝ハードウェア構成＝＝
図２は、上位ゲートウェイ２０及びローカルゲートウェイ３０のハードウェア構成例を示す図である。同図に示すように、上位ゲートウェイ２０は、ＣＰＵ２０１、メモリ２０２、記憶装置２０３、第１通信インタフェース２０４、及び第２通信インタフェース２０５を備えており、ローカルゲートウェイ３０は、ＣＰＵ３０１、メモリ３０２、記憶装置３０３、第１通信インタフェース３０４、及び第２通信インタフェース３０５を備えている。
【００２９】
上位ゲートウェイ２０の記憶装置２０３及びローカルゲートウェイ３０の記憶装置３０３はそれぞれ、プログラムやデータを記憶する、例えば、ハードディスクドライブやフラッシュメモリ、ＮＶＲＡＭ（Nonvolatile Random-Access Memory）などである。ＣＰＵ２０１は記憶装置２０３に記憶されているプログラムをメモリ２０２に読み出して実行することで、上位ゲートウェイ２０としての各種の機能を実現する。ＣＰＵ３０１も同様に、記憶装置３０３に記憶されているプログラムをメモリ３０２に読み出して実行することでローカルゲートウェイ３０としての各種の機能を実現する。上位ゲートウェイ２０が備える第１通信インタフェース２０４は、通信ネットワーク５３に接続するためのインタフェースである。上位ゲートウェイ２０の第２通信インタフェース２０５及びローカルゲートウェイ３０の第１通信インタフェース３０４は、通信ネットワーク５２に接続するためのインタフェースである。ローカルゲートウェイ３０の第２通信インタフェース３０５は、ポイント４０との間の通信線５１に接続するためのインタフェースである。上位ゲートウェイ２０の第１通信インタフェース２０４及び第２通信インタフェース２０５、並びにローカルゲートウェイ３０の第１通信インタフェース３０４は、例えば、イーサネット（登録商標）に接続するためのアダプタや、公衆電話回線網に接続するためのモデムなどである。ローカルゲートウェイ３０の第２通信インタフェース３０５は、例えば、ＬＯＮＷＯＲＫＳに接続するためのアダプタである。
【００３０】
＝＝上位ゲートウェイ２０の機能＝＝
図３は、上位ゲートウェイ２０の機能ブロック図である。同図に示すように、上位ゲートウェイ２０は、監視情報受信部２１１、監視情報登録部２１２、監視情報送信部２１３、履歴取得部２１４、異常判定部２１５、警告電子メール送信部２１６、設定情報受信部２１７、動作確認応答部２１８、動作ロジック応答部２１９の各機能部と、最新値記憶部２５１、監視履歴記憶部２５２、ヘッダ情報記憶部２５３、ポイント情報記憶部２５４、グループ情報記憶部２５５、設定情報記憶部２５６、警告ロジック情報記憶部２５７の各記憶部とを備えている。なお、上記の各機能部は、上位ゲートウェイ２０が備えるＣＰＵ２０１が記憶装置２０３に記憶されているプログラムを実行することにより実現される。また、上記の各記憶部は、上位ゲートウェイ２０が備えるメモリ２０２や記憶装置２０３が提供する記憶領域として実現される。
【００３１】
監視情報受信部２１１は、ローカルゲートウェイ３０から送信される、各ポイント４０からの監視情報を受信し、受信した監視情報を最新値記憶部２５１に記憶する。最新値記憶部２５１に登録される監視情報の構成例を図４に示す。同図に示すように、監視情報には、監視情報を送出したポイント４０を示すポイントＩＤ、及び報告値が含まれている。報告値は、例えば、空調機から送出される設定温度や室温、動作時間、照明機器から送出される照度や点灯時間などのポイント４０が報告する値で、ポイント４０の種類によって様々な値をとりうる。なお、最新値記憶部２５１には、各ポイント４０についてひとつの監視情報が記憶されるものとする。すなわち、最新値記憶部２５１には、ローカルゲートウェイ３０から受信した最新の監視情報が記憶される。
【００３２】
監視履歴記憶部２５２には、監視情報の履歴が記憶される。図５に監視履歴記憶部２５２に記憶される監視情報の一例を示す。同図に示すように、監視履歴記憶部２５２には、ポイント４０毎に、監視情報が監視履歴記憶部２５２に記憶された日時及び報告値のリストが登録されている。
【００３３】
ヘッダ情報記憶部２５３は、監視履歴記憶部２５２に記憶されている監視情報のうち、最新のものを示す情報（以下、ヘッダ情報という。）を記憶する。図６にヘッダ情報記憶部２５３に記憶されるヘッダ情報の構成例を示す。同図に示すように、ヘッダ情報にはポイントＩＤ、監視情報が監視履歴記憶部２５２に記憶された日時、及びレコード番号が含まれる。レコード番号は、監視履歴記憶部２５２に記憶されているポイントＩＤに対応する監視情報のうち、最新のものは何番目のものであるかを示している。図６の例では、「０００１」のポイントＩＤに対応するレコード番号は「３」であるので、図５の例では、「０００１」のポイントＩＤに対応する３番目の「２００６−０５−３０  １１：３０：００」及び「０００２２」が最新の監視情報になる。
【００３４】
監視情報登録部２１２は、定期的に最新値記憶部２５１に記憶されている監視情報を読み出し、読み出した監視情報に現在の日時を付帯させて監視履歴記憶部２５２に登録するとともに、登録した監視情報に基づいてヘッダ情報を作成し、作成したヘッダ情報をヘッダ情報記憶部２５３に登録する。監視情報送信部２１３は、監視情報登録部２１２が登録した監視情報を監視端末１１に送信する。
【００３５】
上位ゲートウェイ２０が監視情報を記憶し、監視端末１１に送信する処理の流れを図７に示す。監視情報登録部２１２は、最新値記憶部２５１から監視情報を読み出し（Ｓ６０１）、読み出した監視情報のそれぞれについて以下の処理を行う。
【００３６】
監視情報登録部２１２は、ヘッダ情報記憶部２５３から、監視情報に含まれるポイントＩＤに対応するヘッダ情報を取得し（Ｓ６０２）、取得したヘッダ情報に含まれているレコード番号に１を加算した値を新しいレコード番号とする（Ｓ６０３）。監視情報登録部２１２は、上記のレコード番号と、現在の日時とをヘッダ情報に設定し、これらの情報を設定したヘッダ情報を、ヘッダ情報記憶部２５３に上書き登録する（Ｓ６０４）。
【００３７】
監視情報登録部２１２は、監視履歴記憶部２５２のポイントＩＤに対応する記憶領域におけるレコード番号の位置に、監視情報に現在の日時を付帯させて登録する（Ｓ６０５）。監視情報送信部２１３は、監視情報をＢＡＣｎｅｔのプロトコルに従って監視端末１１に送信する（Ｓ６０６）。
【００３８】
以上の処理を繰り返して、最新値記憶部２５１に記憶された最新の監視情報が上位ゲートウェイ内に記憶されるとともに、監視端末１１に送信される。
【００３９】
なお、監視情報送信部２１３は、例えば、定期的に、監視履歴記憶部２５２に登録された監視情報をまとめて監視端末１１に送信するようにしてもよいし、監視端末１１からの要求に応じて最新値記憶部２５１から監視情報を読み出して監視端末１１に送信するようにしてもよい。
【００４０】
ポイント情報記憶部２５４は、本システムにおいて監視対象となるポイント４０からの監視情報を収集するローカルゲートウェイ３０を特定する情報（以下、ポイント情報という。）を記憶する。本実施形態において、ポイント情報はローカルゲートウェイ３０のＩＰアドレスとする。図８にポイント情報記憶部２５４の構成例を示す。同図に示すように、本実施形態では、上位ゲートウェイ２０に接続されているローカルゲートウェイ３０のＩＰアドレスが登録される。
【００４１】
履歴取得部２１４（本発明の「最新時点問合わせ部」及び「最新時点受信部」に該当する。）は、ローカルゲートウェイ３０に記憶されている監視情報の履歴を取得する。履歴取得部２１４は、例えば、上位ゲートウェイ２０の起動時に動作する。履歴取得部２１４が行う処理の流れを図９に示す。履歴取得部２１４は、ポイント情報記憶部２５４に登録されているＩＰアドレスのそれぞれが示すローカルゲートウェイ３０に対して、記憶しているヘッダ情報を送信するように要求するコマンド（以下、ヘッダ情報取得要求という。本発明の「最新時点問合わせ要求」に該当する。）を送信する（Ｓ６２１）。履歴取得部２１４は、ヘッダ情報取得要求に応じて送信されるヘッダ情報を受信し（Ｓ６２２）、ヘッダ情報記憶部２５３に記憶されているヘッダ情報のうち、受信したヘッダ情報に含まれるポイントＩＤに対応し、受信したヘッダ情報に含まれる日時と一致しないものを抽出する（Ｓ６２３）。履歴取得部２１４は、抽出したヘッダ情報のそれぞれについて以下の処理を行う。
【００４２】
履歴取得部２１４は、ヘッダ情報のポイントＩＤを設定した、監視情報の履歴を送信するように指示するコマンド（以下、監視履歴取得要求という。）をローカルゲートウェイ３０に送信する（Ｓ６２４）。履歴取得部２１４は、監視履歴取得要求に応じてローカルゲートウェイ３０から送信される監視情報の履歴を受信し（Ｓ６２５）、受信した監視情報のそれぞれについて、上述の図７と同様にして、監視情報に基づきヘッダ情報を作成してヘッダ情報記憶部２５３に登録し（Ｓ６２６）、監視情報を監視履歴記憶部２５２に登録する（Ｓ６０６）。
【００４３】
以上の処理を抽出した各ヘッダ情報について行うことで、ローカルゲートウェイ３０と上位ゲートウェイ２０との間で監視情報の同期をとることができる。
【００４４】
本実施形態では、ポイント４０からの監視情報に基づいて建物内の設備システムに異常があるかどうかを判定するプログラム（以下、異常判定プログラムという。）が実行される。異常判定プログラムは、１つ以上のグループについて、そのグループに所属するポイント４０からの監視情報に基づいて設備システムの異常の有無を判定する。
【００４５】
グループ情報記憶部２５５は、ポイント４０が所属するグループを管理する。に関する情報を記憶する。図１０にグループ情報記憶部２５５に記憶されるグループ情報の一例を示す。同図に示すように、グループ情報記憶部２５５は、グループ毎に、そのグループに所属するポイント４０を示す情報（以下、グループ情報という。）を記憶する。
【００４６】
異常判定プログラムに関する情報が警告ロジック情報記憶部２５７に記憶される。図１１に警告ロジック情報記憶部２５７の構成例を示す。同図に示すように、警告ロジック情報記憶部２５７には、異常判定プログラムを識別する警告ロジック番号に対応付けて、異常判定プログラムが利用するグループと、異常判定プログラムが格納されているファイルとが格納される。図１１の例では、上位ゲートウェイ２０には複数の異常判定プログラムが準備されていることを示している。
【００４７】
設定情報記憶部２５６は、上位ゲートウェイ２０についての設定情報を記憶する。図１２に設定情報記憶部２５６が記憶する設定情報の構成例を示す。同図に示すように、設定情報には、設備システムの異常を判定する際に実行するべき異常判定プログラムを示す警告ロジック番号と、設備機器を含む設備システムに異常が発生した場合に、その旨のメッセージを含む電子メール（以下、警告電子メールという。）の送信先となるメールアドレスとが記憶される。
【００４８】
異常判定部２１５は、ポイント４０からの報告値に基づいて建物内の設備機器を含む設備システムの異常を判定する。異常判定部２１５は、設定情報に登録されている警告ロジック番号に対応する異常判定プログラムを実行し、実行した異常判定プログラムからの戻り値に応じて、設備システムに異常があるかどうかを判定する。
【００４９】
警告電子メール送信部２１６は、異常判定部２１５が建物内の設備システムに異常があると判定した場合に、警告電子メールを送信する。なお、警告電子メールの送信先は、設定情報の警告電子メール送信先である。
【００５０】
設定情報受信部２１７は、管理者端末１２から設定情報やポイント情報、グループ情報、警告ロジック情報を受信して設定情報記憶部２５６、ポイント情報記憶部２５４、グループ情報記憶部２５５、及び警告ロジック情報記憶部２５７に記憶する。なお、設定情報受信部２１７は、Ｗｅｂサーバとして機能し、ＨＴＴＰ（HyperText Transfer Protocol）に従って上記の設定を行う。すなわち、管理者端末１２を操作する管理者は、Ｗｅｂブラウザを用いて上位ゲートウェイ２０にアクセスし、設定情報やポイント情報、警告ロジック情報を更新することができるようになっている。
【００５１】
設定情報受信部２１７による処理の流れを図１３に示す。同図に示すように、設定情報受信部２１７は、ＨＴＴＰに従って情報の取得要求を受け付けると（Ｓ６４１）、ポイント情報記憶部２５４に記憶されているポイント情報を読み出し（Ｓ６４２）、グループ情報記憶部２５５に記憶されているグループ情報を読み出し（Ｓ６４３）、設定情報記憶部２５６に記憶されている設定情報読み出し（Ｓ６４４）、警告ロジック情報記憶部２５７に記憶されている警告ロジック情報を読み出す（Ｓ６４５）。設定情報受信部２１７は、読み出したポイント情報、設定情報、警告ロジック情報の一覧を表示するためのＷｅｂページを作成して管理者端末１２に送信する（Ｓ６４６）。次に設定情報受信部２１７は、管理者端末１２から更新すべき設定情報やポイント情報、警告ロジック情報の更新要求を受信すると（Ｓ６４７）、受信した設定情報、ポイント情報、警告ロジック情報をそれぞれ、設定情報記憶部２５６、ポイント情報記憶部２５４、グループ情報記憶部２５５、警告ロジック情報記憶部２５７に設定する（Ｓ６４８）。これらの設定が終わると、設定を有効にするために上位ゲートウェイ２０は再起動される（Ｓ６４９）。
【００５２】
以上のように本実施形態の上位ゲートウェイ２０では、外部の管理者端末１２からＷｅｂブラウザを用いた遠隔操作により、設定情報やポイント情報、警告ロジック情報などが更新可能となっている。従来ゲートウェイ機器の設定を変更する場合には、専用のアプリケーションプログラムをインストールしたコンピュータを直接ゲートウェイにケーブル接続していたが、本実施形態の上位ゲートウェイ２０のように、通信ネットワーク経由で設定を変更することにより、管理者は上位ゲートウェイ２０の設置場所に出向く必要がなくなり作業の効率化が図れる。
【００５３】
動作確認応答部２１８は、ローカルゲートウェイ３０から送信される、上位ゲートウェイ２０が動作しているかどうかを問い合わせるコマンド（以下、動作確認要求という。）を受信し、受信した動作確認要求に応じて、上位ゲートウェイ２０が動作していることを示す応答をローカルゲートウェイ３０に送信する。
【００５４】
動作ロジック応答部２１９は、ローカルゲートウェイ３０から送信される、上位ゲートウェイ２０で動作する異常判定プログラムの問合わせ（以下、動作ロジック問合わせ要求という。）に応じて、設定情報記憶部２５６に記憶されている警告ロジック番号をローカルゲートウェイ３０に送信する。
【００５５】
＝＝ローカルゲートウェイ３０の機能＝＝
図１４は、ローカルゲートウェイ３０の機能ブロック図である。同図に示すように、ローカルゲートウェイ３０は、監視情報受信部３１１、監視情報登録部３１２、監視情報送信部３１３、履歴送信部３１４、異常判定部３１５、警告電子メール送信部３１６、上位動作確認部３１７、動作ロジック問合わせ部３１８、設定情報受信部３１９の各機能部と、最新値記憶部３５１、監視履歴記憶部３５２、ヘッダ情報記憶部３５３、ポイント情報記憶部３５４、グループ情報記憶部３５５、設定情報記憶部３５６、警告ロジック情報記憶部３５７の各記憶部とを備えている。ローカルゲートウェイ３０が備える機能部及び記憶部の多くは、上位ゲートウェイ２０が備える機能部及び記憶部と同様の機能及び構成である。したがって、以下の説明では、ローカルゲートウェイ３０と上位ゲートウェイ２０との相違について説明する。
【００５６】
最新値記憶部３５１、監視履歴記憶部３５２、ヘッダ情報記憶部３５３、グループ情報記憶部３５５、及び警告ロジック情報記憶部３５７はそれぞれ、上位ゲートウェイ２０が備える最新値記憶部２５１、監視履歴記憶部２５２、ヘッダ情報記憶部２５３、グループ情報記憶部２５５、及び警告ロジック情報記憶部２５７と同じ構成である。
【００５７】
上位ゲートウェイ２０のポイント情報記憶部２５４では、監視対象にはローカルゲートウェイ３０のＩＰアドレスがポイント情報として記憶されていたが、ローカルゲートウェイ３０のポイント情報記憶部３５４では、ローカルゲートウェイ３０が管理する各ポイント４０を示すポイントＩＤがポイント情報として記憶される。ポイント情報記憶部３５４に記憶されるポイント情報の一例を図１５に示す。
【００５８】
設定情報記憶部３５６には、上位ゲートウェイ２０の設定情報記憶部２５６と同様に、警告ロジック番号及び警告電子メール送信先が格納されるとともに、監視情報の送信先となる上位ゲートウェイ２０のアドレスが設定される。設定情報記憶部３５６に記憶される設定情報の一例を図１６に示す。
【００５９】
監視情報受信部３１１は、ＬＯＮＷＯＲＫＳ（登録商標）プロトコルに従ってポイント４０から監視情報を受信し、受信した監視情報を最新値記憶部３５１に記憶する。  
監視情報登録部３１２は、上位ゲートウェイ２０の監視情報登録部２１２と同様に、最新値記憶部３５１に記憶されている監視情報を監視履歴記憶部３５２に記憶するとともに、ヘッダ情報を作成してヘッダ情報記憶部３５３に登録する。
【００６０】
すなわち、監視情報の履歴は、ローカルゲートウェイ３０においても記憶されることになる。したがって、ポイント４０から取得される監視情報は、上位ゲートウェイ２０及びローカルゲートウェイ３０の両方において管理されることになるので、いずれかのゲートウェイ装置が故障しても、監視情報が喪失することを防止することができる。
【００６１】
監視情報送信部３１３は、監視情報を上位ゲートウェイ２０に送信する。  
履歴送信部３１４は、上位ゲートウェイ２０の履歴取得部２１４から送信される監視履歴取得要求に応じて、監視履歴記憶部３５２に記憶されている監視情報を上位ゲートウェイ２０に送信する。  
設定情報受信部３１９は、上位ゲートウェイ２０の設定情報受信部２１７と同様に、管理者端末１２から送信されるポイント情報やグループ情報、設定情報、警告ロジック情報を受け付ける。  
異常判定部３１５は、上位ゲートウェイ２０の異常判定部２１５と同様に、設定情報記憶部３５６に記憶されている警告ロジック番号に対応する警告ロジック情報記憶部３５７の異常判定プログラムを実行し、その戻り値に応じて設備システムに異常があるかどうかを判定する。
【００６２】
上位動作確認部３１７は、動作確認要求を上位ゲートウェイ２０に送信し、上位ゲートウェイ２０から、動作確認要求に対する応答を受信できるかどうかにより、上位ゲートウェイ２０が正常に動作しているかどうかを確認する。  
動作ロジック問合わせ部３１８は、動作ロジック問合わせ要求を上位ゲートウェイ２０に送信し、動作ロジック問合わせ要求に対する応答として上位ゲートウェイ２０で動作する異常判定プログラムを示す警告ロジック番号を取得する。
【００６３】
警告電子メール送信部３１６は、異常判定部３１５が設備システムに異常があると判定した場合に、その旨を示す管理者端末１２に対して警告電子メールを送信する。ここで、ローカルゲートウェイ３０の警告電子メール送信部３１６は、上位ゲートウェイ２０が動作していない場合、又は、ローカルゲートウェイ３０において上位ゲートウェイ２０とは異なる異常判定プログラムが動作している場合にのみ、警告電子メールを送信する。
【００６４】
図１７は、警告電子メールの送信処理の流れを示す図である。  
異常判定部３１５は、設定情報記憶部３５６に記憶されている警告ロジック番号を読み出し、読み出した警告ロジック番号に対応する利用グループＩＤ及び異常判定プログラムを読み出す（Ｓ７０１）。異常判定部３１５は、読み出した利用グループＩＤに対応するポイントＩＤをグループ情報記憶部３５５から取得し（Ｓ７０２）、取得したポイントＩＤと、現在の日時から所定時間前までの日時とに対応する監視情報を関し監視履歴記憶部３５２から読み出す（Ｓ７０３）。異常判定部３１５は、読み出した監視情報を引数として異常判定プログラムを実行する（Ｓ７０４）。異常判定プログラムからの戻り値が設備システムの異常を示すものであった場合（Ｓ７０５：ＹＥＳ）、上位動作確認部３１７は、上位ゲートウェイ２０に対して動作確認要求を送信し（Ｓ７０６）、上位ゲートウェイ２０から動作確認要求に対する応答があった場合には（Ｓ７０７）、動作ロジック問合わせ部３１８は、動作ロジック問合わせ要求を上位ゲートウェイ２０に送信する（Ｓ７０８）。上位ゲートウェイ２０から動作ロジック問合わせ要求に対して応答される警告ロジック番号と、設定情報記憶部３５６に記憶されている警告ロジック番号とが不一致であれば（Ｓ７０９：ＹＥＳ）、警告電子メール送信部３１６は、設定情報の警告電子メール送信先に宛てて警告電子メールを送信する（Ｓ７１０）。
【００６５】
上記の処理により、ローカルゲートウェイ３０は、ポイント４０から取得した監視情報に基づき所定のプログラムを実行して設備システムの異常を判定し、異常があると判定した場合、上位ゲートウェイ２０が動作していなければ（動作確認要求に対する応答がなければ）、警告電子メールを送信して、設備システムの異常を報知する。したがって、上位ゲートウェイ２０が故障していた場合でも、ローカルゲートウェイ３０から警告電子メールを送信することができる。よって、管理者はより確実に設備システムの異常を把握することが可能となる。
【００６６】
また、ローカルゲートウェイ３０は、上位ゲートウェイ２０が動作している場合でも、上位ゲートウェイ２０において実行される異常判定プログラムが、ローカルゲートウェイ３０において実行される異常判定プログラムと異なる場合には、警告電子メールを送信する。したがって、ローカルゲートウェイ３０は、上位ゲートウェイ２０が判定対象としていないポイント４０からの警告情報に基づいて異常を判定した場合や、上位ゲートウェイ２０とは異なるアルゴリズムにより異常と判定した場合にも警告を行うことができる。よって、上位ゲートウェイ２０とローカルゲートウェイ３０とで異なるアルゴリズムにより設備システムの異常を判定することにより、様々な角度から設備システムの状態を判定することが可能となり、異常の発生あるいは発生の可能性をより網羅的に判定し、より早期に報知することができる。
【００６７】
なお、本実施形態の監視システムでは、ローカルゲートウェイ３０は、設備システムに異常があると判定した場合に、上位ゲートウェイ２０に動作確認要求を送信するものとしたが、これに限らず任意のタイミングで上位ゲートウェイ２０が動作しているかどうかを確認するようにしてもよい。例えば、ローカルゲートウェイ３０が定期的に動作確認要求を上位ゲートウェイ２０に送信するようにしてもよいし、上位ゲートウェイ２０からローカルゲートウェイ３０に対して定期的に信号を送信し、ローカルゲートウェイ３０は一定期間その信号を受信できない場合に上位ゲートウェイ２０が動作していないと判定するようにしてもよい。
【００６８】
また、ローカルゲートウェイ３０は、上位ゲートウェイ２０が正常に動作していない場合には、設備システムに異常がないと判定した場合であっても、上位ゲートウェイ２０が正常に動作していない旨のメッセージを含む警告電子メールを送信するようにしてもよい。この場合、管理者は上位ゲートウェイ２０が正常に動作していないことを把握することができる。
【００６９】
また、上位ゲートウェイ２０が、ローカルゲートウェイ３０から所定時間監視情報を受信できなかった場合に、ローカルゲートウェイ３０が正常に動作していない旨を示す警告電子メールを送信するようにしてもよい。
【００７０】
また、本実施形態の監視システムでは、ポイント４０は、ＬＯＮＷＯＲＫＳ（登録商標）のプロトコルにより監視情報をローカルゲートウェイ３０に送信するものとしたが、例えば、ポイント４０からはアナログ信号を出力するようにして、ローカルゲートウェイ３０とポイント４０とをケーブルで接続するようにしてもよい。この場合のローカルゲートウェイ３０のハードウェア構成例を図１８に示す。同図に示すように、この場合のローカルゲートウェイ３０には、第２通信インタフェース３０５に代えて、Ｉ／Ｏインタフェース３０６、ＡＤ変換器３０７を備えるようにする。ポイント４０とＩ／Ｏインタフェース３０６とはアナログ信号線５４により接続され、ローカルゲートウェイ３０は、Ｉ／Ｏインタフェース３０６を介してポイント４０からアナログ信号を受信し、アナログデジタル変換を行い、監視情報を作成するようにする。この場合、ポイント４０にＬＯＮＷＯＲＫＳ（登録商標）による通信の機能を搭載する必要がなくなるので、ポイント４０に係るコストを抑えることができる。また、一般的には通信ネットワークの配線よりも、アナログ信号線の配線の方が低コストであるため、配線に係るコストも抑えることができる。
【００７１】
また、本実施形態では、上位ゲートウェイ２０は、建物内に設置されるものとしたが、建物外に設置されるようにしてもよい。この場合の監視システムの構成例を図１９に示す。同図の例では、管理センターに監視端末１１及び管理者端末１２とともに、上位ゲートウェイ２０も設置され、建物内には、ローカルゲートウェイ３０とポイント４０とが設置されている。この場合も、ローカルゲートウェイ３０と上位ゲートウェイ２０との間はゲートウェイプロトコルによる通信が行われる。このように配置することにより、複数の建物についての監視を行う場合にも、上位ゲートウェイ２０を建物の数だけ用意する必要がなくなるので、低コストで複数の建物について設備システムの監視を行うことができる。
【００７２】
また、本実施形態では簡単のため、ポイント４０が出力する監視情報を監視端末１１に送信する場合についてのみ説明したが、例えば、管理者端末１２から建物内の設備機器の運転開始や運転終了の指示信号を送信するなど、ポイント４０の動作を制御するための制御情報をポイント４０に送信する場合にも適用することができる。この場合にも、上述した実施形態と同様に、上位ゲートウェイ２０からローカルゲートウェイ３０への通信には、ＢＡＣｎｅｔに比べて処理負荷の低いゲートウェイプロトコルが利用されるので、ローカルゲートウェイ３０における通信プロトコルの処理負荷を低減し、監視システム全体の処理効率を向上することができる。
【００７３】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００７４】
【図１】本実施形態に係る監視システムの全体構成を示す図である。
【図２】上位ゲートウェイ２０及びローカルゲートウェイ３０のハードウェア構成例を示す図である。
【図３】上位ゲートウェイ２０の機能ブロック図である。
【図４】最新値記憶部２５１に登録される監視情報の構成例を示す図である。
【図５】監視履歴記憶部２５２に記憶される監視情報の一例を示す図である。
【図６】ヘッダ情報記憶部２５３に記憶されるヘッダ情報の構成例を示す図である。
【図７】上位ゲートウェイ２０が監視情報を記憶し、監視端末１１に送信する処理の流れを示す図である。
【図８】ポイント情報記憶部２５４に記憶されるポイント情報の一例を示す図である。
【図９】履歴取得部２１４が行う処理の流れを示す図である。
【図１０】グループ情報記憶部２５５に記憶されるグループ情報の一例を示す図である。
【図１１】警告ロジック情報記憶部２５７の構成例を示す図である。
【図１２】設定情報記憶部２５６が記憶する設定情報の構成例を示す図である。
【図１３】設定情報受信部２１７による処理の流れを示す図である。
【図１４】ローカルゲートウェイ３０の機能ブロック図である。
【図１５】ポイント情報記憶部３５４に記憶されるポイント情報の一例を示す図である。
【図１６】設定情報記憶部３５６に記憶される設定情報の一例を示す図である。
【図１７】警告電子メールの送信処理の流れを示す図である。
【図１８】ローカルゲートウェイ３０のハードウェア構成例を示す図である。
【図１９】上位ゲートウェイ２０が建物外に設置される監視システムの構成例を示す図である。
【符号の説明】
【００７５】
１１    監視端末                        １２    管理者端末
２０    上位ゲートウェイ                ３０    ローカルゲートウェイ
４０    ポイント                        ５１    通信線
５２    通信ネットワーク                ５３    通信ネットワーク
２０１  ＣＰＵ                          ２０２  メモリ
２０３  記憶装置                        ２０４  第１通信インタフェース
２０５  第２通信インタフェース          ２１１  監視情報受信部
２１２  監視情報登録部                  ２１３  監視情報送信部
２１４  履歴取得部                      ２１５  異常判定部
２１６  警告電子メール送信部            ２１７  設定情報受信部
２１８  動作確認応答部                  ２１９  動作ロジック応答部
２５１  最新値記憶部                    ２５２  監視履歴記憶部
２５３  ヘッダ情報記憶部                ２５４  ポイント情報記憶部
２５５  グループ情報記憶部              ２５６  設定情報記憶部
２５７  警告ロジック情報記憶部          ３０１  ＣＰＵ
３０２  メモリ                          ３０３  記憶装置
３０４  第１通信インタフェース          ３０５  第２通信インタフェース
３１１  監視情報受信部                  ３１２  監視情報登録部
３１３  監視情報送信部                  ３１４  履歴送信部
３１５  異常判定部                      ３１６  警告電子メール送信部
３１７  上位動作確認部                  ３１８  動作ロジック問合わせ部
３１９  設定情報受信部                  ３５１  最新値記憶部
３５２  監視履歴記憶部                  ３５３  ヘッダ情報記憶部
３５４  ポイント情報記憶部              ３５５  グループ情報記憶部
３５６  設定情報記憶部                  ３５７  警告ロジック情報記憶部
【図１】
2008015837.tif 000003
【図２】
2008015837.tif 000004
【図３】
2008015837.tif 000005
【図４】
2008015837.tif 000006
【図５】
2008015837.tif 000007
【図６】
2008015837.tif 000008
【図７】
2008015837.tif 000009
【図８】
2008015837.tif 000010
【図９】
2008015837.tif 000011
【図１０】
2008015837.tif 000012
【図１１】
2008015837.tif 000013
【図１２】
2008015837.tif 000014
【図１３】
2008015837.tif 000015
【図１４】
2008015837.tif 000016
【図１５】
2008015837.tif 000017
【図１６】
2008015837.tif 000018
【図１７】
2008015837.tif 000019
【図１８】
2008015837.tif 000020
【図１９】
2008015837.tif 000021